(57)【要約】【課題】ユーザが録音データから有益な情報を得ることができなくなる虞を低減することによって、利便性の向上を図ることを可能とする。【解決手段】音声認識の結果から、録音データ（ＲＤ）が無効であることを検出する無効音声検出部（７１）と、無効音声検出部（７１）による検出結果に応じて、無効音声情報を録音データ（ＲＤ）と紐付ける無効情報付与部（８１）とを備えている。【選択図】図１
2018195896.tif 000002
【特許請求の範囲】
【請求項１】
音声データに基づく音声認識を行うことによって、上記音声データをテキストデータに変換する音声認識部と、
上記音声認識部による音声認識の結果から、上記音声データが無効であることを検出する無効音声検出部と、
上記無効音声検出部による検出結果に応じて、上記音声データが無効であることを示す無効音声情報を、上記音声データと紐付ける無効情報付与部とを備えていることを特徴とする音声データ処理装置。
【請求項２】
上記無効音声検出部は、上記テキストデータが存在しない場合に、上記音声データが無効であることを検出し、
上記無効情報付与部は、上記音声データの有効度が最低である旨の情報を、上記無効音声情報として、上記音声データと紐付けることを特徴とする請求項１に記載の音声データ処理装置。
【請求項３】
上記無効音声検出部は、上記テキストデータの信頼度が所定の度合未満である場合に、上記音声データが無効であることを検出し、
上記無効情報付与部は、上記音声データの有効度が所定の度合未満である旨の情報を、上記無効音声情報として、上記音声データと紐付けることを特徴とする請求項１または２に記載の音声データ処理装置。
【請求項４】
上記無効音声検出部は、上記テキストデータの信頼度が所定の度合以上であり、かつ、上記音声データを特徴付けるために有効な文言が当該テキストデータに含まれる文章中に存在しない場合に、上記音声データが無効であることを検出し、
上記無効情報付与部は、上記音声データの有効度が所定の度合未満である旨の情報を、上記無効音声情報として、上記音声データと紐付けることを特徴とする請求項１から３のいずれか１項に記載の音声データ処理装置。
【請求項５】
上記音声データ処理装置は、上記音声データの継続時間を測定する継続時間測定部を備えており、
上記無効情報付与部は、上記音声データの継続時間を示す情報を、上記無効音声情報として、上記音声データと紐付けることを特徴とする請求項３または４に記載の音声データ処理装置。
【請求項６】
上記音声データ処理装置は、
上記テキストデータの信頼度が所定の度合以上であり、かつ、上記音声データを特徴付けるために有効な文言が当該テキストデータに含まれる文章中に存在する場合に、上記音声データが有効であることを検出する有効音声検出部と、
上記有効音声検出部による検出結果に応じて、上記文言から得られた上記音声データを特徴付けるための情報を、上記音声データと紐付ける有効情報付与部とをさらに備えていることを特徴とする請求項１から５のいずれか１項に記載の音声データ処理装置。
【請求項７】
上記音声データ処理装置は、
上記テキストデータの信頼度が所定の度合以上であり、かつ、特定の文言が当該テキストデータに含まれる文章中に存在する場合に、上記音声データが重要であることを検出する重要音声検出部と、
上記重要音声検出部による検出結果に応じて、上記音声データが重要である旨の情報を、上記音声データと紐付ける重要情報付与部とをさらに備えていることを特徴とする請求項１から６のいずれか１項に記載の音声データ処理装置。
【請求項８】
上記音声データと紐付けられた、少なくとも上記無効音声情報を表示する表示部をさらに備えていることを特徴とする請求項１から７のいずれか１項に記載の音声データ処理装置。
【請求項９】
記憶装置と、表示部と、制御部とを備えた音声データ処理装置であって、
上記制御部は、
上記記憶装置から音声データを取得し、
上記音声データに基づく音声認識を行うことによって、上記音声データをテキストデータに変換し、
上記音声認識の結果から、上記音声データが無効であることを検出し、
上記検出の結果に応じて、上記音声データが無効であることを示す無効音声情報を、上記音声データと紐付け、
上記音声データと紐付けられた、少なくとも上記無効音声情報を上記表示部へ表示させることを特徴とする音声データ処理装置。
【請求項１０】
音声データに基づく音声認識を行うことによって、上記音声データをテキストデータに変換する音声認識ステップと、
上記音声認識ステップによる音声認識の結果から、上記音声データが無効であることを検出する無効音声検出ステップと、
上記無効音声検出ステップによる検出結果に応じて、上記音声データが無効であることを示す無効音声情報を、上記音声データと紐付ける無効情報付与ステップとを含んでいることを特徴とする音声データ処理方法。
【請求項１１】
請求項１から８のいずれか１項に記載の音声データ処理装置としてコンピュータを機能させるためのプログラムであって、上記音声認識部、上記無効音声検出部、および上記無効情報付与部としてコンピュータを機能させるためのプログラム。
【請求項１２】
請求項１１に記載のプログラムを記録したコンピュータ読み取り可能な記録媒体。
【発明の詳細な説明】
【技術分野】
【０００１】
本発明は、音声データ処理装置、音声データ処理方法、プログラム、および記録媒体に関する。
【背景技術】
【０００２】
従来、用件を録音することが可能な装置において、当該録音によって得られた音声データ（以下、「録音データ」とも言う）を解析した結果を用いて、当該装置の利便性を向上させる技術が検討されている。
【０００３】
上記技術の一例が特許文献１に開示されている。特許文献１に開示されている留守番電話装置（用件を録音することが可能な装置）は、録音データが有効であるか否かを判定し、当該録音データが無効であると判定された場合、当該録音データを消去する制御部を備えている。
【先行技術文献】
【特許文献】
【０００４】
【特許文献１】特開平５−１３６８６９号公報（１９９３年６月１日公開）
【発明の概要】
【発明が解決しようとする課題】
【０００５】
特許文献１に開示されている留守番電話装置において無効であると判定される録音データに、有益な情報が含まれている場合がある。例えば、当該録音データから得られる音声に含まれる無音期間、環境雑音、物音、息づかい、舌打ち等が、当該有益な情報となる場合がある。別の例を挙げると、（１）録音時間が一瞬であるか、（２）しばらくの間、当該録音データから得られる音声において、無音、息づかい、舌打ち等が続いた後、録音が終了している（録音時間が比較的長い）かの違い等が、当該有益な情報となる場合がある。
【０００６】
しかしながら、特許文献１に開示されている留守番電話装置の制御部は、上記有益な情報が含まれているか否かに関係無く、無効であると判定された録音データを消去する。この結果、特許文献１に開示されている留守番電話装置においては、ユーザが当該有益な情報を得ることができなくなる虞がある。
【０００７】
本発明の一態様は、ユーザが録音データから有益な情報を得ることができなくなる虞を低減することによって、利便性の向上を図ることを可能とする音声データ処理装置、音声データ処理方法、プログラム、および記録媒体を実現することを目的とする。
【課題を解決するための手段】
【０００８】
上記の課題を解決するために、本発明の一態様に係る音声データ処理装置は、音声データに基づく音声認識を行うことによって、上記音声データをテキストデータに変換する音声認識部と、上記音声認識部による音声認識の結果から、上記音声データが無効であることを検出する無効音声検出部と、上記無効音声検出部による検出結果に応じて、上記音声データが無効であることを示す無効音声情報を、上記音声データと紐付ける無効情報付与部とを備えていることを特徴としている。
【０００９】
上記の課題を解決するために、本発明の一態様に係る音声データ処理装置は、記憶装置と、表示部と、制御部とを備えた音声データ処理装置であって、上記制御部は、上記記憶装置から音声データを取得し、上記音声データに基づく音声認識を行うことによって、上記音声データをテキストデータに変換し、上記音声認識の結果から、上記音声データが無効であることを検出し、上記検出の結果に応じて、上記音声データが無効であることを示す無効音声情報を、上記音声データと紐付け、上記音声データと紐付けられた、少なくとも上記無効音声情報を上記表示部へ表示させることを特徴としている。
【００１０】
上記の課題を解決するために、本発明の一態様に係る音声データ処理方法は、音声データに基づく音声認識を行うことによって、上記音声データをテキストデータに変換する音声認識ステップと、上記音声認識ステップによる音声認識の結果から、上記音声データが無効であることを検出する無効音声検出ステップと、上記無効音声検出ステップによる検出結果に応じて、上記音声データが無効であることを示す無効音声情報を、上記音声データと紐付ける無効情報付与ステップとを含んでいることを特徴としている。
【発明の効果】
【００１１】
本発明の一態様によれば、ユーザが録音データから有益な情報を得ることができなくなる虞を低減することによって、利便性の向上を図ることが可能となる。
【図面の簡単な説明】
【００１２】
【図１】（ａ）は本発明の実施の形態１に係る音声データ処理装置の概略構成を示すブロック図であり、（ｂ）は本発明の実施の形態１に係るレコード情報の一例を示すイメージ図である。
【図２】図１に示した音声データ処理装置における動作の流れを示すフローチャートである。
【図３】（ａ）は本発明の実施の形態２に係る音声データ処理装置の概略構成を示すブロック図であり、（ｂ）は本発明の実施の形態２に係るレコード情報の一例を示すイメージ図である。
【図４】図３に示した音声データ処理装置における動作の流れを示すフローチャートである。
【図５】表示部による、録音データと紐付けられた情報を表示する一例を示すイメージ図である。
【図６】表示部による、録音データと紐付けられた情報を表示する別の例を示すイメージ図である。
【発明を実施するための形態】
【００１３】
本発明を実施するための形態について、図１〜図６を参照して説明する。
【００１４】
〔実施の形態１〕
図１の（ａ）は、本発明の実施の形態１に係る音声データ処理装置１００の概略構成を示すブロック図である。図１の（ｂ）は、本発明の実施の形態１に係るレコード情報ＲＩの一例を示すイメージ図である。音声データ処理装置１００は、用件を録音することが可能な装置に搭載されており、音声録音部１、主制御部（制御部）２、記憶装置５、および表示部６を備えている。
【００１５】
音声録音部１は、音声ＳＤを録音するレコーダーである。具体的に、音声ＳＤを受けると、音声録音部１は、受けた音声ＳＤからレコード情報ＲＩを生成する。図１の（ｂ）に示すとおり、レコード情報ＲＩには、音声ＳＤから生成された録音データ（音声データ）ＲＤに加え、録音日時、録音時間、および録音者情報等が含まれている。例えば、音声データ処理装置１００が搭載された留守番電話装置においては、音声ＳＤの一例として、話し相手からユーザに対して伝えられるべき用件（伝言メモ等）が挙げられる。
【００１６】
主制御部２は、例えばＣＰＵ（Central Processing Unit：中央処理装置）によって構成されている。主制御部２は、音声録音部１、記憶装置５、および表示部６を統括的に制御する。
【００１７】
記憶装置５は、例えばメモリによって構成されている。記憶装置５は、音声録音部１にて生成されたレコード情報ＲＩをはじめとする各種の情報を記憶する。
【００１８】
表示部６は、液晶表示装置、または有機ＥＬ（Electro luminescence）表示装置等の表示装置によって構成されている。表示部６は、主制御部２による制御の下、音声データ処理装置１００に関連する各種の表示を行う。特に、表示部６は、レコード情報ＲＩのうち録音データＲＤ以外の情報を、文字および／または画像によって表示することができる。
【００１９】
また、主制御部２は、音声認識部３、形態素解析部４、効果判定部７、情報付与部８、継続時間測定部９、および表示制御部１０を有している。効果判定部７は、無効音声検出部７１、および有効音声検出部７２を有している。情報付与部８は、無効情報付与部８１、および有効情報付与部８２を有している。
【００２０】
音声認識部３は、レコード情報ＲＩに含まれた録音データＲＤに基づく音声認識機能を有している。具体的に、主制御部２は、記憶装置５に記憶されたレコード情報ＲＩを読み出し、音声認識部３は、このレコード情報ＲＩに含まれた録音データＲＤをテキストデータＴＤに変換する。すなわち、主制御部２は、記憶装置５から録音データＲＤを取得する。
【００２１】
形態素解析部４は、テキストデータＴＤ（すなわち、音声認識部３による音声認識の結果）に含まれる文章を意味のある単語に区切り、辞書を利用して品詞や内容を判別することによって、テキストデータＴＤに対する形態素解析を行う。
【００２２】
無効音声検出部７１は、テキストデータＴＤと、形態素解析部４によるテキストデータＴＤの解析結果とから、録音データＲＤが無効であることを検出する。ここで、録音データＲＤが無効であることは、録音データＲＤから得られる音声の主要部（例えば、話し相手が話す内容）が存在しないか、または当該主要部がユーザにとって有益な情報に該当しないことを意味している。但し、録音データＲＤが無効である場合においても、当該主要部以外の音声（無音期間、環境雑音、物音、息づかい、舌打ち等）が、当該有益な情報となる場合がある。
【００２３】
具体的に、無効音声検出部７１は、テキストデータＴＤが存在しない場合に、録音データＲＤが無効であることを検出する。また、無効音声検出部７１は、テキストデータＴＤの信頼度が所定の度合未満である場合に、録音データＲＤが無効であることを検出する。また、無効音声検出部７１は、テキストデータＴＤの信頼度が所定の度合以上であり、かつ、録音データＲＤを特徴付けるために有効な文言がテキストデータＴＤに含まれる文章中に存在しない場合に、録音データＲＤが無効であることを検出する。
【００２４】
有効音声検出部７２は、テキストデータＴＤの信頼度が所定の度合以上であり、かつ、録音データＲＤを特徴付けるために有効な文言がテキストデータＴＤに含まれる文章中に存在する場合に、録音データＲＤが有効であることを検出する。ここで、録音データＲＤが有効であることは、録音データＲＤから得られる音声の主要部（例えば、話し相手が話す内容）がユーザにとって有益な情報に該当することを意味している。
【００２５】
音声認識処理では、認識結果のテキストデータとともに、その認識結果の信頼度を示す得点も出力されることが周知である。当該周知の音声認識処理に従い、音声認識部３は、テキストデータＴＤと、テキストデータＴＤの信頼度を示す得点とを出力する。効果判定部７は、当該得点が所定の閾値未満であれば、テキストデータＴＤの信頼度が所定の度合未満である（音声認識部３による音声認識の結果が信頼に値しない）と判定する。一方、効果判定部７は、当該得点が所定の閾値以上であれば、テキストデータＴＤの信頼度が所定の度合以上である（音声認識部３による音声認識の結果が信頼に値する）と判定する。効果判定部７は、テキストデータＴＤの信頼度が所定の度合以上であると判定した時点で、形態素解析部４に対して、テキストデータＴＤに対する形態素解析を行う旨の指示（解析指示）を送る。また、効果判定部７は、テキストデータＴＤの信頼度が所定の度合未満であると判定した時点で、継続時間測定部９に対して、録音データＲＤの継続時間を測定する旨の指示（継続時間測定指示）を送る。
【００２６】
録音データＲＤを特徴付けるために有効な文言の一例として、下記（Ａ）〜（Ｉ）が挙げられる。
【００２７】
（Ａ）ユーザが予め指定した文言。
【００２８】
（Ｂ）音声データ処理装置１００を備えている装置に対して以前入力され、記憶された文言（検索キーワード等）。
【００２９】
（Ｃ）音声データ処理装置１００を備えている装置が有している、メモ帳またはカレンダー等に対して紐付けられた文言（頻出ワード等）。
【００３０】
（Ｄ）音声データ処理装置１００を備えている装置が有している辞書（学習辞書、ユーザ辞書等）に登録されている文言。
【００３１】
（Ｅ）音声データ処理装置１００を備えている装置が有している電話帳に登録されている連絡先名（但し、話し相手本人は除く）、またはメモ。
【００３２】
（Ｆ）レコード情報ＲＩとは別のレコード情報に含まれている件名。
【００３３】
（Ｇ）名詞、動詞等の、それだけで意味を持つ品詞（単語・キーワード）。
【００３４】
（Ｈ）「（ある用件）の件です」または「（ある用件）してください」等の文章が含まれている場合、この（ある用件）。
【００３５】
（Ｉ）テキストデータＴＤが録音データＲＤから得られる音声の音量に関する情報を含んでいる場合、当該音量が所定以上であるタイミングに含まれる文言。
【００３６】
また、「えっと」、「あの」、「じゃあ」等の相槌、「こんにちわ」、「こんばんわ」等の挨拶言葉、話し相手の名前等は、録音データＲＤを特徴付けるために有効な文言から除外してもよい。
【００３７】
上記（Ａ）〜（Ｉ）の場合、対応する条件を予め記憶装置５に記憶しておき、効果判定部７は、形態素解析部４によるテキストデータＴＤの解析結果と、当該対応する条件とを参照すればよい。これにより、効果判定部７は、録音データＲＤを特徴付けるために有効な文言がテキストデータＴＤに含まれる文章中に存在するか否かを検出することができる。特に上記（Ｆ）の場合は、件名がユーザによって適切なものに編集されていることが期待されるため、また、内容の類似した複数の録音データＲＤに対して適用可能であるため、有用である。
【００３８】
効果判定部７は、録音データＲＤを特徴付けるために有効な文言がテキストデータＴＤに含まれる文章中に存在しないと判定した時点で、継続時間測定部９に対して、録音データＲＤの継続時間を測定する旨の指示（継続時間測定指示）を送る。
【００３９】
継続時間測定部９は、録音データＲＤの継続時間を測定し、測定結果を情報付与部８に送る。このとき、継続時間測定部９は、レコード情報ＲＩに含まれる録音時間を参照してもよいし、テキストデータＴＤを参照してもよい。
【００４０】
無効情報付与部８１は、無効音声検出部７１による検出結果に応じて、録音データＲＤが無効である旨の情報である無効音声情報を、録音データＲＤと紐付ける。
【００４１】
具体的に、無効情報付与部８１は、テキストデータＴＤが存在しない場合に、録音データＲＤの有効度が最低である旨の情報を、無効音声情報として、録音データＲＤと紐付ける。また、無効情報付与部８１は、テキストデータＴＤの信頼度が所定の度合未満である場合に、録音データＲＤの有効度が所定の度合未満である旨の情報を、無効音声情報として、録音データＲＤと紐付ける。また、無効情報付与部８１は、テキストデータＴＤの信頼度が所定の度合以上であり、かつ、録音データＲＤを特徴付けるために有効な文言がテキストデータＴＤに含まれる文章中に存在しない場合に、録音データＲＤの有効度が所定の度合未満である旨の情報を、無効音声情報として、録音データＲＤと紐付ける。また、無効情報付与部８１は、継続時間測定部７３にて測定された、録音データＲＤの継続時間を示す情報を、無効音声情報として、録音データＲＤと紐付ける。
【００４２】
有効情報付与部８２は、有効音声検出部７２による検出結果に応じて、録音データＲＤを特徴付けるために有効な文言から得られた録音データＲＤを特徴付けるための情報を、録音データＲＤと紐付ける。
【００４３】
ここで、録音データＲＤの有効度が最低である旨の情報とは、録音データＲＤに有益な情報が一切含まれていないことを示唆する情報であればよい。録音データＲＤの有効度が最低である旨の情報の一例として、録音データＲＤが含まれているレコード情報ＲＩの件名「（件名なし）」、「（伝言なし）」、または「（発話なし）」が挙げられる。
【００４４】
また、録音データＲＤの有効度が所定の度合未満である旨の情報とは、録音データＲＤにある程度有益な情報が含まれているが、その含まれている量が十分でないことを示唆する情報であればよい。録音データＲＤの有効度が所定の度合未満である旨の情報の一例として、録音データＲＤが含まれているレコード情報ＲＩの件名「（内容不明）」、「（伝言あり）」、または「（件名生成不可）」が挙げられる。
【００４５】
録音データＲＤを特徴付けるための情報の一例として、録音データＲＤが含まれているレコード情報ＲＩの件名を、録音データＲＤを特徴付けるために有効な文言そのものとする旨の情報が挙げられる。
【００４６】
表示制御部１０は、表示部６による表示を制御する。当該制御の詳細については後述する。
【００４７】
図２は、図１に示した音声データ処理装置１００における動作の流れを示すフローチャートである。
【００４８】
音声録音部１は、音声ＳＤの録音を開始し（Ｓ１０１）、その後当該録音を終了する（Ｓ１０２）。そして、音声録音部１は、レコード情報ＲＩの登録を行う、すなわち、レコード情報ＲＩを記憶装置５に記憶する（Ｓ１０３）。
【００４９】
続いて、主制御部２は、記憶装置５に記憶されたレコード情報ＲＩを読み出し、音声認識部３は、このレコード情報ＲＩに含まれた録音データＲＤをテキストデータＴＤに変換する（音声認識ステップＳ１１１）。
【００５０】
続いて、効果判定部７は、テキストデータＴＤの有無を判定する（Ｓ１２１）。テキストデータＴＤが存在しない場合（Ｓ１２１の結果が無）、件名「（件名なし）」を作成する（Ｓ１３２）。具体的には、無効音声検出部７１が、録音データＲＤが無効であることを検出する（無効音声検出ステップ）。また、無効情報付与部８１が、録音データＲＤの有効度が最低である旨の情報（無効音声情報）として、録音データＲＤが含まれているレコード情報ＲＩの件名「（件名なし）」を作成する（無効情報付与ステップの前半）。
【００５１】
テキストデータＴＤが存在する場合（Ｓ１２１の結果が有）、効果判定部７は、音声認識の信頼度に応じて認識結果に付けられた得点に従って、テキストデータＴＤの信頼度が所定の度合以上であるか否かを判定する（Ｓ１２２）。
【００５２】
テキストデータＴＤの信頼度が所定の度合未満である場合（Ｓ１２２の結果がＮＯ）、効果判定部７は、継続時間測定部９に対して、録音データＲＤの継続時間を測定する旨の指示（継続時間測定指示）を送る。継続時間測定部９は、録音データＲＤの継続時間を測定する（Ｓ１４１）。ここでは、録音データＲＤの継続時間が１５秒であるとする。
【００５３】
続いて、件名「伝言１５秒（内容不明）」を作成する（Ｓ１４２）。具体的には、無効音声検出部７１が、録音データＲＤが無効であることを検出する（無効音声検出ステップ）。また、無効情報付与部８１が、録音データＲＤの有効度が所定の度合未満である旨の情報（無効音声情報）として、録音データＲＤが含まれているレコード情報ＲＩの件名「（内容不明）」を作成し、さらに録音データＲＤの継続時間（１５秒）を示す情報を当該件名に付加する（無効情報付与ステップの前半）。
【００５４】
テキストデータＴＤの信頼度が所定の度合以上である場合（Ｓ１２２の結果がＹＥＳ）、効果判定部７は、形態素解析部４に対して、テキストデータＴＤに対する形態素解析を行う旨の指示（解析指示）を送る。形態素解析部４は、テキストデータＴＤに対する形態素解析を行う（Ｓ１１２）。
【００５５】
続いて、効果判定部７は、少なくとも形態素解析部４によるテキストデータＴＤの解析結果から、録音データＲＤを特徴付けるために有効な文言がテキストデータＴＤに含まれる文章中に存在するか否かを判定する（Ｓ１２３）。
【００５６】
録音データＲＤを特徴付けるために有効な文言がテキストデータＴＤに含まれる文章中に存在しない場合（Ｓ１２３の結果が無）、上述したステップＳ１４１に進む。
【００５７】
録音データＲＤを特徴付けるために有効な文言がテキストデータＴＤに含まれる文章中に存在する場合（Ｓ１２３の結果が有）、件名として、当該文言そのものを作成する（Ｓ１１３）。具体的には、有効音声検出部７２が、録音データＲＤが有効であることを検出する（有効音声検出ステップ）。また、有効情報付与部８２が、録音データＲＤを特徴付けるための情報として、録音データＲＤが含まれているレコード情報ＲＩの件名を当該文言そのものとする（有効情報付与ステップの前半）。
【００５８】
そして、無効情報付与部８１または有効情報付与部８２は、先のステップで作成した件名を、レコード情報ＲＩに追加する（Ｓ１０５：無効情報付与ステップの後半または有効情報付与ステップの後半）。
【００５９】
音声データ処理装置１００によれば、無効な録音データＲＤを削除することなく、録音データＲＤが無効であるか否かを判別することができる。従って、有益な情報を含み得る無効な録音データＲＤが削除されてしまう虞が無いので、ユーザが録音データＲＤから当該有益な情報を得ることができなくなる虞を低減することができ、利便性の向上を図ることが可能となる。
【００６０】
また、録音データＲＤと紐付けられる無効音声情報について、録音データＲＤの有効度が最低である旨の情報と、録音データＲＤの有効度が所定の度合未満である旨の情報とを分類している。前者は主に、録音データＲＤから得られる音声が、無音、機械音、雑音等しか含まない場合に適用されることとなる。後者は主に、録音データＲＤに対する音声認識が不調であった場合、または録音データＲＤから得られる音声が不明瞭である場合等に適用されることとなる。当該分類により、複数の無効な録音データＲＤの区別が容易となり、利便性をさらに高くすることができる。さらに、録音データＲＤの継続時間を示す情報を無効音声情報とすることによって、複数の無効な録音データＲＤの区別をより細かく行うことができるので、利便性をさらに高くすることができる。
【００６１】
また、音声データ処理装置１００によれば、有効な録音データＲＤ（無効でない録音データＲＤ）に対して、録音データＲＤを特徴付けるための情報を紐付ける。これにより、無効な録音データＲＤと有効な録音データＲＤとの区別が容易となり、利便性をさらに高くすることができる。
【００６２】
〔実施の形態２〕
図３の（ａ）は、本発明の実施の形態２に係る音声データ処理装置１００ａの概略構成を示すブロック図である。図３の（ｂ）は、本発明の実施の形態２に係るレコード情報ＲＩａの一例を示すイメージ図である。以下、説明の便宜上、先に説明した部材と同じ機能を有する部材については、同じ符号を付記し、その説明を省略する。
【００６３】
音声データ処理装置１００ａは、効果判定部７が重要音声検出部７３を有しており（すなわち、効果判定部７ａである）、情報付与部８が重要情報付与部８３を有している（すなわち、情報付与部８ａである）点が、音声データ処理装置１００と異なっている。本実施の形態においては、主制御部２（図１の（ａ）参照）の効果判定部７および情報付与部８を、それぞれ効果判定部７ａおよび情報付与部８ａに置換したものを、主制御部２ａとしている。また、本実施の形態において、レコード情報ＲＩには、図３の（ｂ）に示すとおり、重要度が含まれている（すなわち、レコード情報ＲＩａである）。
【００６４】
重要音声検出部７３は、テキストデータＴＤの信頼度が所定の度合以上であり、かつ、特定の文言がテキストデータＴＤに含まれる文章中に存在する場合に、録音データＲＤが重要であることを検出する。
【００６５】
上記特定の文言の一例として、下記（Ｊ）〜（Ｌ）が挙げられる。
【００６６】
（Ｊ）ユーザが予め指定した文言。
【００６７】
（Ｋ）「至急」または「急いで」等の、緊急性が高いことを示唆する文言。
【００６８】
（Ｌ）早期確認の必要性があると判断可能な文言。例えば、ある時刻より前の時刻、または現在時刻から所定時間後より前の時刻。
【００６９】
上記（Ｊ）〜（Ｌ）の場合、対応する条件を予め記憶装置５に記憶しておき、効果判定部７ａは、形態素解析部４によるテキストデータＴＤの解析結果と、当該対応する条件とを参照すればよい。これにより、効果判定部７ａは、上記特定の文言がテキストデータＴＤに含まれる文章中に存在するか否かを検出することができる。
【００７０】
重要情報付与部８３は、重要音声検出部７３による検出結果に応じて、録音データＲＤが重要である旨の情報を、録音データＲＤと紐付ける。
【００７１】
ここで、録音データＲＤが重要である旨の情報の一例として、レコード情報ＲＩａに含まれた重要度のフラグをオフからオンに切り替える旨の情報が挙げられる。
【００７２】
図４は、図３に示した音声データ処理装置１００ａにおける動作の流れを示すフローチャートである。なお、ステップＳ１０３ａは、音声録音部１が、レコード情報ＲＩａの登録を行う、すなわち、レコード情報ＲＩａを記憶装置５に記憶するステップであり、図２のステップＳ１０３と対応する。
【００７３】
ステップＳ１１２の後、効果判定部７ａは、少なくとも形態素解析部４によるテキストデータＴＤの解析結果から、上記特定の文言がテキストデータＴＤに含まれる文章中に存在するか否かを判定する（Ｓ２４１）。上記特定の文言がテキストデータＴＤに含まれる文章中に存在する場合（Ｓ２４１の結果が有（ＹＥＳ））、以下の動作の流れとなる。すなわち、重要音声検出部７３が、録音データＲＤが重要であることを検出し、重要情報付与部８３が、レコード情報ＲＩａに含まれた重要度のフラグをオフからオンに切り替える旨の情報（音声データが重要である旨の情報）を作成する（Ｓ２４２）。上記特定の文言がテキストデータＴＤに含まれる文章中に存在しない場合（Ｓ２４１の結果が無（ＮＯ））、以下の動作の流れとなる。すなわち、重要音声検出部７３が、録音データＲＤが重要でないことを検出し、重要情報付与部８３が、レコード情報ＲＩａに含まれた重要度のフラグをオフに維持する旨の情報を作成する（Ｓ２４３）。その後、ステップＳ１２３に進む。また、ステップＳ１０５において、重要情報付与部８３は、先のステップで作成した重要度のフラグに関する情報に応じて、レコード情報ＲＩａに重要度のフラグを設定する（すなわち、ステップＳ１０５ａを行う）。
【００７４】
なお、図４に示すフローチャートでは、ステップＳ２４１〜ステップＳ２４３を、ステップＳ１１２とステップＳ１２３との間に行っているが、ステップＳ２４１〜ステップＳ２４３は、ステップＳ１２３とステップＳ１１３との間に行われてもよい。
【００７５】
音声データ処理装置１００ａによれば、重要な録音データＲＤに対して、録音データＲＤが重要である旨の情報を紐付ける。これにより、重要な録音データＲＤと重要でない録音データＲＤとの区別が容易となり、利便性をさらに高くすることができる。
【００７６】
ここからは、音声データ処理装置１００ａの表示部６に、録音データＲＤと紐付けられた各種の情報を表示する例について、図５および図６を参照して説明する。主制御部２は、記憶装置５から上述した無効音声情報を含むレコード情報ＲＩを取得し、少なくとも当該無効音声情報を表示部６へ表示させる。
【００７７】
図５は、表示部６による、録音データＲＤと紐付けられた情報を表示する一例を示すイメージ図である。表示制御部１０は、表示部６に対して、レコード情報ＲＩａの登録を知らせる表示をさせる。例えば、表示制御部１０は、レコード情報ＲＩａに含まれた重要度のフラグをオフからオンに切り替える旨の情報に応じて、表示部６に対して、重要である旨を示すアイコン６１を表示させる。アイコン６１の代わりに、赤字および／または太字の表示等を用いてもよい。
【００７８】
また、記憶装置５に複数のレコード情報ＲＩａが記憶されている場合、表示部６に対して、記憶装置５に記憶されたレコード情報ＲＩａのリスト（例えば、伝言メモリスト）を表示させることも考えられる。図６は、表示部６による、録音データＲＤと紐付けられた情報を表示する別の例を示すイメージ図である。例えば、表示制御部１０は、レコード情報ＲＩａに含まれた重要度のフラグをオフからオンに切り替える旨の情報に応じて、表示部６に対して、重要である旨を示すアイコン６２を表示させる。また例えば、表示制御部１０は、レコード情報ＲＩａに含まれた重要度のフラグをオフに維持する旨の情報に応じて、表示部６に対して、重要でない旨を示すアイコン６３を表示させる。アイコン６２の代わりに、赤字および／または太字の表示等を用いてもよい。
【００７９】
このように、表示部６は、録音データＲＤと紐付けられた、少なくとも上述した無効音声情報を表示する。表示部６によれば、録音データＲＤと紐付けられた情報を表示することができる。これにより、ユーザは、表示部６の表示を見て、各録音データＲＤの重要度を判断することができるので、利便性をさらに高くすることができる。
【００８０】
〔付記事項〕
実施の形態１および実施の形態２においては、音声データが録音データＲＤである例について説明を行った。しかしながら、音声データは、録音データＲＤに限定されず、音声データとしては、任意の音声データを適用することが可能である。また、主制御部２を構成する各ブロックのうち少なくとも１つは、主制御部２とは別の制御部に設けられていてもよい。
【００８１】
また、音声データ処理装置１００の制御ブロック（特に主制御部２を構成する各ブロック）は、集積回路（ＩＣチップ）等に形成された論理回路（ハードウェア）によって実現してもよいし、ＣＰＵ（Central Processing Unit）を用いてソフトウェアによって実現してもよい。後者の場合、音声データ処理装置１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。音声データ処理装置１００ａについても同様である。
【００８２】
〔まとめ〕
本発明の態様１に係る音声データ処理装置１００は、録音データＲＤに基づく音声認識を行うことによって、録音データＲＤをテキストデータに変換する音声認識部３と、音声認識部３による音声認識の結果から、録音データＲＤが無効であることを検出する無効音声検出部７１と、無効音声検出部７１による検出結果に応じて、録音データＲＤが無効であることを示す無効音声情報を、録音データＲＤと紐付ける無効情報付与部８１とを備えている。
【００８３】
上記の構成によれば、録音データＲＤが無効であることを示す無効音声情報を、録音データＲＤと紐付ける。このため、無効な録音データＲＤを削除することなく、録音データＲＤが無効であるか否かを判別することができる。従って、有益な情報を含み得る無効な録音データＲＤが削除されてしまう虞が無いので、ユーザが録音データＲＤから当該有益な情報を得ることができなくなる虞を低減することができ、利便性の向上を図ることが可能となる。
【００８４】
本発明の態様２に係る音声データ処理装置１００は、上記態様１において、無効音声検出部７１は、上記テキストデータが存在しない場合に、録音データＲＤが無効であることを検出し、無効情報付与部８１は、録音データＲＤの有効度が最低である旨の情報を、上記無効音声情報として、録音データＲＤと紐付ける。
【００８５】
本発明の態様３に係る音声データ処理装置１００は、上記態様１または２において、無効音声検出部７１は、上記テキストデータの信頼度が所定の度合未満である場合に、録音データＲＤが無効であることを検出し、無効情報付与部８１は、録音データＲＤの有効度が所定の度合未満である旨の情報を、上記無効音声情報として、録音データＲＤと紐付ける。
【００８６】
本発明の態様４に係る音声データ処理装置１００は、上記態様１から３のいずれかにおいて、無効音声検出部７１は、上記テキストデータの信頼度が所定の度合以上であり、かつ、録音データＲＤを特徴付けるために有効な文言が当該テキストデータに含まれる文章中に存在しない場合に、録音データＲＤが無効であることを検出し、無効情報付与部８１は、録音データＲＤの有効度が所定の度合未満である旨の情報を、上記無効音声情報として、録音データＲＤと紐付ける。
【００８７】
上記の各構成によれば、録音データＲＤと紐付けられる無効音声情報について、録音データＲＤの有効度が最低である旨の情報と、録音データＲＤの有効度が所定の度合未満である旨の情報とを分類している。前者は主に、録音データＲＤから得られる音声が、無音、機械音、雑音等しか含まない場合に適用されることとなる。後者は主に、録音データＲＤに対する音声認識が不調であった場合、または録音データＲＤから得られる音声が不明瞭である場合等に適用されることとなる。当該分類により、複数の無効な録音データＲＤの区別が容易となり、利便性をさらに高くすることができる。
【００８８】
本発明の態様５に係る音声データ処理装置１００は、上記態様１から４のいずれかにおいて、録音データＲＤの継続時間を測定する継続時間測定部９を備えており、無効情報付与部８１は、録音データＲＤの継続時間を示す情報を、上記無効音声情報として、録音データＲＤと紐付ける。
【００８９】
上記の構成によれば、録音データＲＤの継続時間を示す情報を無効音声情報とすることによって、複数の無効な録音データＲＤの区別をより細かく行うことができるので、利便性をさらに高くすることができる。
【００９０】
本発明の態様６に係る音声データ処理装置１００は、上記態様１から５のいずれかにおいて、上記テキストデータの信頼度が所定の度合以上であり、かつ、録音データＲＤを特徴付けるために有効な文言が当該テキストデータに含まれる文章中に存在する場合に、録音データＲＤが有効であることを検出する有効音声検出部７２と、有効音声検出部７２による検出結果に応じて、上記文言から得られた録音データＲＤを特徴付けるための情報を、録音データＲＤと紐付ける有効情報付与部８２とをさらに備えている。
【００９１】
上記の構成によれば、有効な録音データＲＤ（無効でない録音データＲＤ）に対して、録音データＲＤを特徴付けるための情報を紐付ける。これにより、無効な録音データＲＤと有効な録音データＲＤとの区別が容易となり、利便性をさらに高くすることができる。
【００９２】
本発明の態様７に係る音声データ処理装置１００ａは、上記態様１から６のいずれかにおいて、上記テキストデータの信頼度が所定の度合以上であり、かつ、特定の文言が当該テキストデータに含まれる文章中に存在する場合に、録音データＲＤが重要であることを検出する重要音声検出部７３と、重要音声検出部７３による検出結果に応じて、録音データＲＤが重要である旨の情報を、録音データＲＤと紐付ける重要情報付与部８３とをさらに備えている。
【００９３】
上記の構成によれば、重要な録音データＲＤに対して、録音データＲＤが重要である旨の情報を紐付ける。これにより、重要な録音データＲＤと重要でない録音データＲＤとの区別が容易となり、利便性をさらに高くすることができる。
【００９４】
本発明の態様８に係る音声データ処理装置１００は、上記態様１から７のいずれかにおいて、録音データＲＤと紐付けられた、少なくとも上記無効音声情報を表示する表示部６をさらに備えている。
【００９５】
また、本発明の態様９に係る音声データ処理装置１００は、記憶装置５と、表示部６と、主制御部２とを備えた音声データ処理装置１００であって、主制御部２は、記憶装置５から録音データＲＤを取得し、録音データＲＤに基づく音声認識を行うことによって、録音データＲＤをテキストデータに変換し、上記音声認識の結果から、録音データＲＤが無効であることを検出し、上記検出の結果に応じて、録音データＲＤが無効であることを示す無効音声情報を、録音データＲＤと紐付け、録音データＲＤと紐付けられた、少なくとも上記無効音声情報を表示部６へ表示させる。
【００９６】
上記の構成によれば、録音データＲＤと紐付けられた情報を表示することができる。これにより、ユーザは、表示部６の表示を見て、各録音データＲＤの重要度を判断することができるので、利便性をさらに高くすることができる。
【００９７】
本発明の態様１０に係る音声データ処理方法は、録音データＲＤに基づく音声認識を行うことによって、録音データＲＤをテキストデータに変換する音声認識ステップと、上記音声認識ステップによる音声認識の結果から、録音データＲＤが無効であることを検出する無効音声検出ステップと、上記無効音声検出ステップによる検出結果に応じて、録音データＲＤが無効であることを示す無効音声情報を、録音データＲＤと紐付ける無効情報付与ステップとを含んでいる。
【００９８】
上記の構成によれば、本発明の態様１または９に係る音声データ処理装置１００と同等の機能を有する、音声データ処理方法を実現することができる。
【００９９】
本発明の各態様に係る音声データ処理装置１００および音声データ処理装置１００ａは、コンピュータによって実現してもよく、この場合には、コンピュータを音声データ処理装置１００または音声データ処理装置１００ａが備える各部（ソフトウェア要素）として動作させることにより音声データ処理装置１００または音声データ処理装置１００ａをコンピュータにて実現させるプログラム、およびそれを記録したコンピュータ読み取り可能な記録媒体も、本発明の範疇に入る。
【０１００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０１】
２  主制御部（制御部）
３  音声認識部
５  記憶装置
６  表示部
９  継続時間測定部
７１  無効音声検出部
７２  有効音声検出部
７３  重要音声検出部
８１  無効情報付与部
８２  有効情報付与部
８３  重要情報付与部
１００、１００ａ  音声データ処理装置
ＲＤ  録音データ（音声データ）
ＴＤ  テキストデータ
【図１】
2018195896.tif 000003
【図２】
2018195896.tif 000004
【図３】
2018195896.tif 000005
【図４】
2018195896.tif 000006
【図５】
2018195896.tif 000007
【図６】
2018195896.tif 000008